(57)【要約】【課題】読取口と読取対象との間の距離にかかわらず、読取可能な範囲および読取可能な範囲の中心を正確に明示し得る光学的情報読取装置を提供する。【解決手段】二次元コードリーダでは、右側マーカ光学系２４および左側マーカ光学系２７を備え、受光センサ２３が右側マーカ光学系２４と左側マーカ光学系２７との間で、かつ、右側マーカ光ＭＲの右側マーカ光軸ＪＲと左側マーカ光ＭＬの左側マーカ光軸ＪＬとを結ぶ仮想線Ｋ上に位置する。このため、右側マーカ光ＭＲと左側マーカ光ＭＬとを含むマーカ光全体の中心にあたる中心軸と、受光センサ２３の受光軸ＪＳとを一致させることができるので、読取口と読取対象物との間の距離にかかわらず、読取可能範囲とその読取中心位置を正確に明示することができる。【選択図】図３
2009020722.tif 000002
【特許請求の範囲】
【請求項１】
表示媒体に投射される第１のガイドマーカにより情報コードを読取可能な範囲を使用者に示し得るとともに前記表示媒体に投射される第２のガイドマーカにより前記読取可能な範囲の中心位置を前記使用者に示し得るマーカ光を前記表示媒体に照射するマーカ光光学系と、
前記表示媒体に表示され前記読取可能な範囲内に位置する前記情報コードに反射した反射光を受光する受光センサと、を備えた光学的情報読取装置であって、
前記マーカ光は、一のマーカ光と他のマーカ光とを含み、
前記マーカ光光学系は、
前記読取可能な範囲を二等分割した一方の範囲について、前記第１のガイドマーカの一部および前記第２のガイドマーカの一部を投射可能な前記一のマーカ光を発する一方の光学系と、
前記二等分割した他方の範囲について、前記第１のガイドマーカの残部および前記第２のガイドマーカの残部を投射可能な前記他のマーカ光を発する他方の光学系と、を備え、
前記受光センサは、前記一方の光学系と前記他方の光学系との間で、かつ、前記一のマーカ光の光軸と前記他のマーカ光の光軸とを結ぶ仮想線上に位置していることを特徴とする光学的情報読取装置。
【請求項２】
前記受光センサは、前記仮想線の中心に位置していることを特徴とする請求項１記載の光学的情報読取装置。
【請求項３】
前記一のマーカ光の光軸および前記受光センサの受光軸がなす一方の鋭角と、前記他のマーカ光の光軸および前記受光センサの受光軸がなす他方の鋭角と、が等しくなるように、前記一方の光学系および前記他方の光学系の位置関係を設定することを特徴とする請求項１または２記載の光学的情報読取装置。
【請求項４】
前記受光センサが前記反射光を受光可能な複数の受光素子を二次元に配列して構成される長方形状の受光面を備える請求項１記載の光学的情報読取装置であって、
前記受光面の長辺と前記仮想線とが平行になるように、前記受光センサ、前記一方の光学系および前記他方の光学系の位置関係を設定することを特徴とする請求項１〜３のいずれか一項に記載の光学的情報読取装置。
【請求項５】
光源と、この光源から出射されて入射した光を第１の分配光と第２の分配光とに分配する光分配手段と、を備え、
前記第１の分配光を前記一のマーカ光として、前記第２の分配光を前記他のマーカ光とすることを特徴とする請求項１〜４のいずれか一項に記載の光学的情報読取装置。
【請求項６】
前記マーカ光光学系は、前記マーカ光に加えて、前記第１のガイドマーカにより示される前記読取可能な範囲よりも内側かつ前記第２のガイドマーカにより示される前記中心位置よりも外側に位置する所定の範囲を前記使用者に示し得る第３のガイドマーカを前記表示媒体に投射するサブマーカ光を前記表示媒体に照射する請求項１〜５のいずれか一項に記載の光学的情報読取装置であって、
前記サブマーカ光は、第１のサブマーカ光と第２のサブマーカ光とを含み、
前記マーカ光光学系の前記一方の光学系は、
前記読取可能な範囲を二等分割した一方の範囲内で、前記第１のガイドマーカの一部よりも内側で前記第２のガイドマーカの一部よりも外側の範囲内に、前記第３のガイドマーカの一部を投射可能な第１のサブマーカ光を発し、
前記マーカ光光学系の前記他方の光学系は、
前記二等分割した他方の範囲内で、前記第１のガイドマーカの残部よりも内側で前記第２のガイドマーカの残部よりも外側の範囲内に、前記第３のガイドマーカの残部を投射可能な第２のサブマーカ光を発することを特徴とする光学的情報読取装置。
【請求項７】
前記マーカ光光学系は、前記一方の光学系と前記他方の光学系とに代えて、
前記読取可能な範囲の中心範囲の一部をいずれも含むように前記読取可能な範囲を四分割した第１部分の範囲について、前記第１のガイドマーカの一部および前記第２のガイドマーカの一部を投射可能な第１のマーカ光を前記マーカ光の一部として発する第１の光学系と、
前記四分割のうち前記第１部分の範囲に対して前記中心範囲を挟んで位置する第２部分の範囲について、前記第１のガイドマーカの一部および前記第２のガイドマーカの一部を投射可能な第２のマーカ光を前記マーカ光の一部として発する第２の光学系と、
前記四分割のうち前記第１部分の範囲と前記第２部分の範囲との間に位置する第３部分の範囲について、前記第１のガイドマーカの一部および前記第２のガイドマーカの一部を投射可能な第３のマーカ光を前記マーカ光の一部として発する第３の光学系と、
前記四分割のうち前記第３部分の範囲に対して前記中心範囲を挟んで位置する第４部分の範囲について、前記第１のガイドマーカの一部および前記第２のガイドマーカの一部を投射可能な第４のマーカ光を前記マーカ光の一部として発する第４の光学系と、を備え、
前記受光センサは、前記第１の光学系、前記第２の光学系、前記第３の光学系および前記第４の光学系に囲まれ、前記第１のマーカ光の光軸と前記第２のマーカ光の光軸とを結ぶ第１仮想線と、前記第３のマーカ光の光軸と前記第４のマーカ光の光軸とを結ぶ第２仮想線と、の交点上に位置していることを特徴とする請求項１記載の光学的情報読取装置。
【発明の詳細な説明】
【技術分野】
【０００１】
本発明は、読取対象に対しマーカ光を照射して、受光センサが読取可能な範囲および読取可能な範囲の中心を使用者に明示し得るマーカ光光学系を備えた光学的情報読取装置に関するものである。
【背景技術】
【０００２】
読取対象に対しマーカ光を照射して受光センサが読取可能な範囲およびその中心を使用者に明示し得るマーカ光光学系を備えた光学的情報読取装置として、例えば、下記特許文献１に開示される「光学情報読取装置」がある。
【０００３】
この種の光学情報読取装置では、下記特許文献１の図４に示すように、二次元コード(Ｑ)の像を受光センサ(３)に結像させる結像光学系（結像レンズ(４)）と、このような二次元コード(Ｑ)が印刷された読取対象(Ｒ)に対してマーカ光(Ｍ)を照射して受光センサ(３)が受光可能な範囲（読取可能な範囲）やその中心を当該光学情報読取装置の使用者に明示し得るマーカ光光学系（マーカ光照射部(６)）と、がそれぞれ別個に設けられている。なお、括弧内の記号や数字は、下記特許文献１において使用されている符号に対応する。
【特許文献１】特開２００５−２０２９３０号公報（段落００３３等、図１，４）
【発明の開示】
【発明が解決しようとする課題】
【０００４】
しかしながら、このような光学情報読取装置によると、結像レンズ(４)のレンズ軸(Ｏ)、つまり結像光学系の光軸と、マーカ光(Ｍ)の光軸(Ｐ)、つまりマーカ光光学系の光軸とが平行ではなく微小な角度θで交差するように構成されている（上記特許文献１；段落００３３、図１）。
【０００５】
このため、光学情報読取装置の本体ケース(１)の読取口(１ｃ)と読取対象(Ｒ)との間の距離が変化すると、受光センサ(３)の撮影視野(Ｆ)中におけるマーカ光(Ｍ)の照射位置が上下左右に変動してしまうことから、二次元コード(Ｑ)の大きさと当該距離との兼ね合いで、受光センサ(３)が受光可能な範囲の中心を正確に把握したい場合があってもそのような要求には応えることができないという問題がある。
【０００６】
また、受光センサ(３)の撮影視野(Ｆ)内であれば、二次元コード(Ｑ)が存在する位置にかかわらず、読み取り可能であるが、撮影視野(Ｆ)内であってもマーカ光(Ｍ)により示される読取可能な範囲からはみ出た部分は、あたかも受光センサ(３)の撮影ができないというような誤った認識を使用者に与えたり、さらには使い勝手があまり良くないといったマイナスイメージを与えてしまうおそれがある。
【０００７】
本発明は、上述した課題を解決するためになされたものであり、その目的とするところは、読取口と読取対象との間の距離にかかわらず、読取可能な範囲および読取可能な範囲の中心を正確に明示し得る光学的情報読取装置を提供することにある。
【課題を解決するための手段】
【０００８】
上記目的を達成するため、特許請求の範囲に記載の請求項１の光学的情報読取装置では、表示媒体に投射される第１のガイドマーカにより情報コードを読取可能な範囲を使用者に示し得るとともに前記表示媒体に投射される第２のガイドマーカにより前記読取可能な範囲の中心位置を前記使用者に示し得るマーカ光を前記表示媒体に照射するマーカ光光学系と、前記表示媒体に表示され前記読取可能な範囲内に位置する前記情報コードに反射した反射光を受光する受光センサと、を備えた光学的情報読取装置であって、前記マーカ光は、一のマーカ光と他のマーカ光とを含み、前記マーカ光光学系は、前記読取可能な範囲を二等分割した一方の範囲について、前記第１のガイドマーカの一部および前記第２のガイドマーカの一部を投射可能な前記一のマーカ光を発する一方の光学系と、前記二等分割した他方の範囲について、前記第１のガイドマーカの残部および前記第２のガイドマーカの残部を投射可能な前記他のマーカ光を発する他方の光学系と、を備え、前記受光センサは、前記一方の光学系と前記他方の光学系との間で、かつ、前記一のマーカ光の光軸と前記他のマーカ光の光軸とを結ぶ仮想線上に位置していることを技術的特徴とする。
【０００９】
特許請求の範囲に記載の請求項２の光学的情報読取装置では、請求項１記載の光学的情報読取装置において、前記受光センサは、前記仮想線の中心に位置していることを技術的特徴とする。
【００１０】
特許請求の範囲に記載の請求項３の光学的情報読取装置では、請求項１または２記載の光学的情報読取装置前記一のマーカ光の光軸および前記受光センサの受光軸がなす一方の鋭角と、前記他のマーカ光の光軸および前記受光センサの受光軸がなす他方の鋭角と、が等しくなるように、前記一方の光学系および前記他方の光学系の位置関係を設定することを技術的特徴とする。
【００１１】
特許請求の範囲に記載の請求項４の光学的情報読取装置では、請求項１〜３のいずれか一項に記載の光学的情報読取装置において、前記受光センサが前記反射光を受光可能な複数の受光素子を二次元に配列して構成される長方形状の受光面を備える請求項１記載の光学的情報読取装置であって、前記受光面の長辺と前記仮想線とが平行になるように、前記受光センサ、前記一方の光学系および前記他方の光学系の位置関係を設定することを技術的特徴とする。
【００１２】
特許請求の範囲に記載の請求項５の光学的情報読取装置では、請求項１〜４のいずれか一項に記載の光学的情報読取装置において、光源と、この光源から出射されて入射した光を第１の分配光と第２の分配光とに分配する光分配手段と、を備え、前記第１の分配光を前記一のマーカ光として、前記第２の分配光を前記他のマーカ光とすることを技術的特徴とする。
【００１３】
特許請求の範囲に記載の請求項６の光学的情報読取装置では、前記マーカ光光学系は、前記マーカ光に加えて、前記第１のガイドマーカにより示される前記読取可能な範囲よりも内側かつ前記第２のガイドマーカにより示される前記中心位置よりも外側に位置する所定の範囲を前記使用者に示し得る第３のガイドマーカを前記表示媒体に投射するサブマーカ光を前記表示媒体に照射する請求項１〜５のいずれか一項に記載の光学的情報読取装置であって、前記サブマーカ光は、第１のサブマーカ光と第２のサブマーカ光とを含み、前記マーカ光光学系の前記一方の光学系は、前記読取可能な範囲を二等分割した一方の範囲内で、前記第１のガイドマーカの一部よりも内側で前記第２のガイドマーカの一部よりも外側の範囲内に、前記第３のガイドマーカの一部を投射可能な第１のサブマーカ光を発し、前記マーカ光光学系の前記他方の光学系は、前記二等分割した他方の範囲内で、前記第１のガイドマーカの残部よりも内側で前記第２のガイドマーカの残部よりも外側の範囲内に、前記第３のガイドマーカの残部を投射可能な第２のサブマーカ光を発することを技術的特徴とする。
【００１４】
特許請求の範囲に記載の請求項７の光学的情報読取装置では、請求項１記載の光学的情報読取装置において、前記マーカ光光学系は、前記一方の光学系と前記他方の光学系とに代えて、前記読取可能な範囲の中心範囲の一部をいずれも含むように前記読取可能な範囲を四分割した第１部分の範囲について、前記第１のガイドマーカの一部および前記第２のガイドマーカの一部を投射可能な第１のマーカ光を前記マーカ光の一部として発する第１の光学系と、前記四分割のうち前記第１部分の範囲に対して前記中心範囲を挟んで位置する第２部分の範囲について、前記第１のガイドマーカの一部および前記第２のガイドマーカの一部を投射可能な第２のマーカ光を前記マーカ光の一部として発する第２の光学系と、前記四分割のうち前記第１部分の範囲と前記第２部分の範囲との間に位置する第３部分の範囲について、前記第１のガイドマーカの一部および前記第２のガイドマーカの一部を投射可能な第３のマーカ光を前記マーカ光の一部として発する第３の光学系と、前記四分割のうち前記第３部分の範囲に対して前記中心範囲を挟んで位置する第４部分の範囲について、前記第１のガイドマーカの一部および前記第２のガイドマーカの一部を投射可能な第４のマーカ光を前記マーカ光の一部として発する第４の光学系と、を備え、前記受光センサは、前記第１の光学系、前記第２の光学系、前記第３の光学系および前記第４の光学系に囲まれ、前記第１のマーカ光の光軸と前記第２のマーカ光の光軸とを結ぶ第１仮想線と、前記第３のマーカ光の光軸と前記第４のマーカ光の光軸とを結ぶ第２仮想線と、の交点上に位置していることを技術的特徴とする。
【発明の効果】
【００１５】
請求項１の発明では、読取可能な範囲を二等分割した一方の範囲について、一方の光学系により「読取可能な範囲を示す第１のガイドマーカ」の一部および「読取可能な範囲の中心を示す第２のガイドマーカ」の一部を投射可能な一のマーカ光を発し、二等分割した他方の範囲について、他方の光学系により当該第１のガイドマーカの残部および当該第２のガイドマーカの残部を投射可能な他のマーカ光を発する。そして、一方の光学系と他方の光学系との間で、かつ、一のマーカ光の光軸と他のマーカ光の光軸とを結ぶ仮想線上に受光センサが位置している。これにより、受光センサは、当該受光センサの受光し得る範囲の中心軸（以下「受光軸」という）がこれら２つのマーカ光の光軸に挟まれた位置でかつこれらマーカ光の光軸を含む平面内で位置することになるため、一のマーカ光と他のマーカ光とを含むマーカ光全体の中心にあたる中心軸と、受光センサの受光軸とを一致させることができる。したがって、読取口と読取対象との間の距離にかかわらず、読取可能な範囲とその中心を正確に明示することができる。
【００１６】
請求項２の発明では、受光センサは、一のマーカ光の光軸と前記他のマーカ光の光軸とを結ぶ仮想線の中心に位置していることから、一のマーカ光の光軸と他のマーカ光の光軸とを平行（一のマーカ光および他のマーカ光の照射方向が受光センサの受光軸方向に対して平行）に設定しても、一のマーカ光と他のマーカ光とを含むマーカ光全体の中心軸と受光センサの受光軸とを一致させることができる。これにより、受光センサの受光軸、一方の光学系や他方の光学系の光軸が、それぞれの被取付面に対して垂直方向や水平方向に設定されている場合には、マーカ光全体の中心軸と受光センサの受光軸とを容易に一致させることが可能となるため、受光センサが仮想線の中心に位置していない場合に比べて、組付工数や調整工数を削減することができる。
【００１７】
請求項３の発明では、一のマーカ光の光軸および受光センサの受光軸がなす一方の鋭角と、他のマーカ光の光軸および受光センサの受光軸がなす他方の鋭角と、が等しくなるように、一方の光学系および他方の光学系の位置関係を設定する。これにより、一のマーカ光および他のマーカ光の照射方向が、受光センサの受光軸方向に傾いて受光軸に近づくぶん、一のマーカ光および他のマーカ光の照射範囲を狭くすることができるので、一のマーカ光および他のマーカ光の照射方向が受光センサの受光軸方向に対して平行である場合に比べて照射範囲が狭いぶん、マーカ光の輝度を高めることができる。
【００１８】
請求項４の発明では、受光センサが反射光を受光可能な複数の受光素子を二次元に配列して構成される長方形状の受光面を備える場合、当該受光面の長辺と仮想線（一のマーカ光の光軸と他のマーカ光の光軸とを結ぶ線）とが平行になるように、受光センサ、一方の光学系および他方の光学系の位置関係を設定することから、これらの位置関係が当該受光面の長辺と仮想線とが垂直になるように設定される場合に比べて、一のマーカ光および他のマーカ光の照射範囲を狭くすることができる。このため、マーカ光の照射範囲が狭いぶん、マーカ光の輝度を高めることができる。
【００１９】
請求項５の発明では、光分配手段により分配された第１の分配光を一のマーカ光として、光分配手段により分配された第２の分配光を他のマーカ光とする。これにより、一つの光源で一のマーカ光と他のマーカ光の双方が得られるので、比較的高価でコスト高の要因になりやすい光源の数を減らすことが可能となり、製品コストを削減することができる。
【００２０】
請求項６の発明では、一方の光学系は、第１のガイドマーカの一部よりも内側で第２のガイドマーカの一部よりも外側の範囲内で、サブマーカ光として、第３のガイドマーカの一部を投射可能な第１のサブマーカ光を発し、他方の光学系は、第１のガイドマーカの残部よりも内側で第２のガイドマーカの残部よりも外側の範囲内で、サブマーカ光として、第３のガイドマーカの残部を投射可能な第２のサブマーカ光を発する。これにより、第１のガイドマーカにより示される範囲よりも内側の所定範囲について当該第３のガイドマーカにより示することができるので、例えば、このような所定範囲を受光センサの高解像度範囲として使用者に明示することができる。したがって、読取可能な範囲の内側に設定される所定範囲についても、読取可能な範囲とその中心と同様に、読取口と読取対象との間の距離にかかわらず、正確に明示することができる。
【００２１】
請求項７の発明では、読取可能な範囲の中心範囲の一部をいずれも含むように読取可能な範囲を四分割した第１部分の範囲について、第１の光学系により、第１のガイドマーカの一部および第２のガイドマーカの一部を投射可能な第１のマーカ光をマーカ光の一部として発し、四分割のうち第１部分の範囲に対して中心範囲を挟んで位置する第２部分の範囲について、第２の光学系により、第１のガイドマーカの一部および第２のガイドマーカの一部を投射可能な第２のマーカ光をマーカ光の一部として発し、四分割のうち第１部分の範囲と第２部分の範囲との間に位置する第３部分の範囲について、第３の光学系により、第１のガイドマーカの一部および第２のガイドマーカの一部を投射可能な第３のマーカ光をマーカ光の一部として発し、四分割のうち第３部分の範囲に対して中心範囲を挟んで位置する第４部分の範囲について、第４の光学系により、第１のガイドマーカの一部および第２のガイドマーカの一部を投射可能な第４のマーカ光をマーカ光の一部として発する。そして、第１の光学系、第２の光学系、第３の光学系および第４の光学系に囲まれ、第１のマーカ光の光軸と第２のマーカ光の光軸とを結ぶ第１仮想線と、第３のマーカ光の光軸と第４のマーカ光の光軸とを結ぶ第２仮想線と、の交点上に受光センサが位置している。これにより、受光センサは、その受光軸がこれら４つのマーカ光の光軸に囲まれた位置でかつその中心に位置することになるため、これら４つの第１〜第４のマーカ光を含むマーカ光全体の中心にあたる中心軸と、受光センサの受光軸とを一致させることができる。したがって、読取口と読取対象との間の距離にかかわらず、読取可能な範囲とその中心を正確に明示することができる。
【発明を実施するための最良の形態】
【００２２】
以下、本発明の光学的情報読取装置を二次元コードリーダに適用した実施形態について図を参照して説明する。まず、本実施形態に係る二次元コードリーダ１０の構成概要を図１〜図３に基づいて説明する。
【００２３】
なお、図１には、二次元コードリーダ１０の構成概要を示す説明図（同(A)：部分縦断面図、同(B)：部分横断面図）が図示されている。また図２には、二次元コードリーダ１０を構成する制御系ユニット基板および光学系ユニット基板の回路構成等を示すブロック図が図示されており、そのうちの光学系ユニット基板の構成例を示す説明図が図３に図示されている（同(A)：正面図、同(B)：３Ｂ線断面図、同(C)：３Ｃ線断面図）。なお、図３(A) に記載された上下左右の４方向を示す矢印は、使用者により使用可能に把持された二次元コードリーダ１０から出射されるマーカ光Ｍの出射方向を「前方向」（図３の紙面垂直上方向）とした場合における当該光学系ユニット基板１６の各方向を示すものである。
【００２４】
図１(A) および図１(B) に示すように、二次元コードリーダ１０は、丸みを帯びた薄型のほぼ矩形箱状なすハウジング本体１１と、このハウジング本体１１の下面ほぼ中央後端寄りにハウジング本体１１に一体に形成されるグリップ部１２と、からなるガンタイプのハウジングを備えている。このグリップ部１２は、使用者が片手で把持可能な程度の外径に設定されており、当該グリップ部１２を握った使用者の人差し指が当接する部位に、後述する照明光の出射を指示するトリガスイッチ１４が設けられている。
【００２５】
ハウジング本体１１の内部には、後述する制御系ユニット基板１５や光学系ユニット基板１６が収容されており、またハウジング本体１１の先端部には、当該光学系ユニット基板１６から発せられる照明光やマーカ光の出射を可能にしたり、反射光の入射を可能にする読取口１１ａが形成されている。なお、マーカ光は、後述するように、右側マーカ光ＭＲと左側マーカ光ＭＬとからなる。
【００２６】
図１〜図３に示すように、制御系ユニット基板１５に実装される回路部２０は、主に、照明光源２１、結像光学系２２、受光センサ２３、右側マーカ光学系２４、左側マーカ光学系２７等の光学系と、メモリ３５、制御回路４０、操作スイッチ４２、液晶表示器４６等のマイクロコンピュータ（以下「マイコン」という）系と、電源スイッチ４１、電池４９等の電源系と、から構成されており、前述した制御系ユニット基板１５や光学系ユニット基板１６に実装あるいはハウジング本体１１内に内装されている。
【００２７】
図１および図２に示すように、光学系は、照明光源２１、結像光学系２２、受光センサ２３、右側マーカ光学系２４、左側マーカ光学系２７等から構成されている。
照明光源２１は、読取対象物Ｒに照射される照射光Ｌｆを発光可能な機能を有するもので、複数個の赤色のＬＥＤとこれらのＬＥＤの出射側に設けられる図略の拡散レンズ等とから構成されている。
【００２８】
図３(A) に示すように、照明光源２１は、例えば、受光センサ２３の周囲を円環状に囲むように配置された１６個のＬＥＤにより構成されており、ハウジング本体１１の読取口１１ａを介して読取対象物Ｒに向けて照明光Ｌｆを照射可能に実装されている。なお、この読取対象物Ｒには、情報コードとして二次元コード（ＱＲコード、データマトリックスやマキシコード、ＰＤＦ４１７、ベリコード、ＣＰコード、カルラコード等）Ｑが貼付されている。
【００２９】
図３(A) 〜図３(C) に示すように、結像光学系２２は、鏡筒２２ａと結像レンズ２２ｂとから構成され、結像レンズ２２ｂを介して入射する入射光を受光センサ２３の受光面２３ａで受光可能に光学系ユニット基板１６に実装されている。即ち、結像レンズ２２ｂは、読取対象物Ｒ等に反射し読取口１１ａを介して入射する反射光Ｌｒ（入射光）を集光して受光センサ２３の受光面２３ａに像を結像可能にし、鏡筒２２ａは、このような結像レンズ２２ｂをレンズ軸が受光センサ２３の受光軸ＪＳに合致するように支持している。
【００３０】
受光センサ２３は、読取対象物Ｒや二次元コードＱに照射されて反射した反射光Ｌｒを受光可能に構成されるもので、例えば、Ｃ−ＭＯＳやＣＣＤ等の固体撮像素子である。本実施形態の場合、情報コードとして二次元コードＱを読み取るため、複数の受光素子が長方形状の矩形範囲に配置されて構成される受光面２３ａを有する、いわゆるエリアセンサを用いている。なお、受光センサ２３は、受光面２３ａが正方形状に構成されるエリアセンサであっても良い。
【００３１】
この受光センサ２３は、その受光面２３ａがハウジング本体１１外から読取口１１ａを介して外観可能に、また右側マーカ光学系２４と左側マーカ光学系２７との間で、かつ、右側マーカ光ＭＲの右側マーカ光軸ＪＲと左側マーカ光ＭＬの左側マーカ光軸ＪＬとを結ぶ仮想線Ｋ上のぼほ中心に位置するように、光学系ユニット基板１６に実装されている。これにより、受光センサ２３は、当該受光センサ２３の受光軸ＪＳ（当該受光センサ２３の受光し得る範囲の中心軸）がこれら２つのマーカ光ＭＲ，ＭＬの光軸ＪＲ，ＪＬに挟まれた位置でかつこれらマーカ光ＭＲ，ＭＬの光軸ＪＲ，ＪＬを含む平面内で位置する。また受光センサ２３の受光面２３ａの長辺とこの仮想線Ｋとが平行になるように、受光センサ２３、右側マーカ光学系２４および左側マーカ光学系２７の位置関係を設定している。
【００３２】
右側マーカ光学系２４は、ホルダ２４ａと右側マーカホログラム２４ｂとから構成されており、読取対象物Ｒに対して右側読取可能範囲を明示し得る右側範囲ガイドマーカおよび右側中心ガイドマーカを投射可能な右側マーカ光を発する機能を有するものである。この右側マーカ光学系２４は、右側マーカ光ＭＲを読取口１１ａから出射可能に光学系ユニット基板１６に実装されており、特許請求の範囲に記載の「一方の光学系」に相当し得るものである。右側マーカホログラム２４ｂに入射するレーザ光ＬＢＲは、右側マーカ光源２５から出射されており、右側マーカ光源２５は、光学系ユニット基板１６に実装されたレーザダイオード（例えばInGaAlPレーザを出力するもの）により構成されている。
【００３３】
即ち、図４(A) および図４(B) に示すように、右側マーカホログラム２４ｂは、右側マーカ光源２５から照射されて入射するレーザ光ＬＢＲを、右側読取可能範囲ＡｒＲ（二等分割した一方の範囲）について右側範囲ガイドマーカＧＡＲ（第１のガイドマーカの一部）および右側中心ガイドマーカＧＣＲ（第２のガイドマーカの一部）を投射可能な右側マーカ光ＭＲ（一のマーカ光）を出射し得るホログラムプレートで、レーザ光ＬＢＲを回折させてこのような右側マーカ光ＭＲを生成可能な回折格子が形成されている。このように構成される右側マーカホログラム２４ｂは、その回折格子に右側マーカ光源２５からのレーザ光ＬＢＲが入射し得るように、ホルダ２４ａによって支持されている。
【００３４】
これに対し、図３(A) 〜図３(C) に示すように、左側マーカ光学系２７も、右側マーカ光学系２４とほぼ同様に、ホルダ２７ａと左側マーカホログラム２７ｂとから構成されており、読取対象物Ｒに対して左側読取可能範囲を明示し得る左側範囲ガイドマーカおよび左側中心ガイドマーカを投射可能な左側マーカ光を発する機能を有する。この左側マーカ光学系２７は、左側マーカ光ＭＬを読取口１１ａから出射可能に光学系ユニット基板１６に実装されており、特許請求の範囲に記載の「他方の光学系」に相当し得るものである。なお、左側マーカホログラム２７ｂに入射するレーザ光ＬＢＬも、レーザ光ＬＢＲと同様に、光学系ユニット基板１６に実装されたレーザダイオード（例えばInGaAlPレーザを出力するもの）により構成される左側マーカ光源２８から出射されている。
【００３５】
即ち、図４(A) および図４(C) に示すように、左側マーカホログラム２７ｂは、左側マーカ光源２８から照射されて入射するレーザ光ＬＢＬを、左側読取可能範囲ＡｒＬ（二等分割した他方の範囲）について左側範囲ガイドマーカＧＡＬ（第１のガイドマーカの残部）および左側中心ガイドマーカＧＣＬ（第２のガイドマーカの残部）を投射可能な左側マーカ光ＭＬ（他のマーカ光）を出射し得るホログラムプレートで、レーザ光ＬＢＬを回折させてこのような左側マーカ光ＭＬを生成可能な回折格子が形成されている。このように構成される左側マーカホログラム２７ｂは、その回折格子に左側マーカ光源２８からのレーザ光ＬＢＬが入射し得るように、ホルダ２７ａによって支持されている。
【００３６】
このように光学系を構成することにより、図４(A)〜図４(D)に示すように、読取可能範囲Ａｒを二等分割した右側読取可能範囲ＡｒＲについて、右側マーカ光学系２４により右側範囲ガイドマーカＧＡＲおよび右側中心ガイドマーカＧＣＲを投射可能な右側マーカ光ＭＲを発し、二等分割した左側読取可能範囲ＡｒＬについて、左側マーカ光学系２７により左側範囲ガイドマーカＧＡＬおよび左側中心ガイドマーカＧＣＬを投射可能な左側マーカ光ＭＬを発する。そして、右側マーカ光学系２４と左側マーカ光学系２７との間で、かつ、右側マーカ光ＭＲの右側マーカ光軸ＪＲと左側マーカ光ＭＬの左側マーカ光軸ＪＬとを結ぶ仮想線Ｋ上に受光センサ２３が位置している。
【００３７】
これにより、受光センサ２３は、当該受光センサ２３の受光軸ＪＳがこれら２つのマーカ光の光軸に挟まれた位置でかつこれら右側マーカ光ＭＲの右側マーカ光軸ＪＲと左側マーカ光ＭＬの左側マーカ光軸ＪＬとを含む平面内で位置することになる。このため、図５に示すように、右側マーカ光ＭＲと左側マーカ光ＭＬとを含むマーカ光Ｍ全体の中心にあたる中心軸ＪＺと、受光センサ２３の受光軸ＪＳとを一致させることができ、読取口１１ａと読取対象物Ｒとの間の距離にかかわらず、読取可能範囲Ａｒとその読取中心位置Ｃｒを正確に明示することができる。
【００３８】
即ち、マーカ光Ｍ全体の中心軸ＪＺと受光センサ２３の受光軸ＪＳとが一致しているので、読取口１１ａと読取対象物Ｒとの間に距離が、例えば、１００mm（図５に示す位置α）、３００mm（図５に示す位置β）というように離隔距離が変化しても、その離隔距離にかかわらず、読取対象物Ｒ，Ｒ’に照射される範囲ガイドマーカ（右側範囲ガイドマーカＧＡＲ，左側範囲ガイドマーカＧＡＬ）により明示される読取可能範囲Ａｒやその中心ガイドマーカ（右側中心ガイドマーカＧＣＲ，左側中心ガイドマーカＧＣＬ）により明示される読取中心位置Ｃｒは変動しない。したがって、読取口１１ａと読取対象物Ｒとの間の距離にかかわらず、読取可能範囲Ａｒやその読取中心位置Ｃｒを正確に使用者に明示することができる。
【００３９】
次に、図２に戻ってマイコン系の構成概要を説明する。マイコン系は、増幅回路３１、Ａ／Ｄ変換回路３３、メモリ３５、アドレス発生回路３６、同期信号発生回路３８、制御回路４０、操作スイッチ１４，４２、ＬＥＤ４３、ブザー４４、液晶表示器４６、通信インタフェース４８等から構成されている。このマイコン系は、その名の通り、マイコンとして機能し得る制御回路４０およびメモリ３５と中心に構成される。
【００４０】
光学系の受光センサ２３から出力される画像信号は、増幅回路３１に入力されることで所定ゲインで増幅された後、Ａ／Ｄ変換回路３３に入力されると、アナログ信号からディジタル信号に変換される。そして、ディジタル化された画像信号、つまり画像データは、メモリ３５に入力されると、画像データ蓄積領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００４１】
メモリ３５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ３５のうちのＲＡＭには、前述した画像データ蓄積領域のほかに、制御回路４０が算術演算や論理演算等の各処理時に利用する作業領域等も確保可能に構成されている。またＲＯＭには、後述するデコード処理等を実行可能な所定プログラムやその他、照明光源２１、受光センサ２３、右側マーカ光源２５、左側マーカ光源２８等の各ハードウェアを制御可能なシステムプログラム等が予め格納されている。
【００４２】
制御回路４０は、二次元コードリーダ１０全体を制御可能なマイコンで、ＣＰＵ、システムバス、入出力インタフェース等からなり、メモリ３５とともに情報処理装置を構成し得るもので情報処理機能を有する。この制御回路４０には、内蔵された入出力インタフェースを介して種々の入出力装置と接続可能に構成されており、本実施形態の場合、電源スイッチ４１、操作スイッチ４２（トリガスイッチ１４）、ＬＥＤ４３、ブザー４４、液晶表示器４６、通信インタフェース４８等が接続されている。
【００４３】
これにより、例えば、電源スイッチ４１や操作スイッチ４２、トリガスイッチ１４の監視や管理、またインジケータとして機能するＬＥＤ４３の点灯・消灯、ビープ音やアラーム音を発生可能なブザー４４の鳴動のオンオフ、さらには読み取った二次元コードＱによるコード内容を画面表示可能な液晶表示器４６の画面制御や外部装置とのシリアル通信を可能にする通信インタフェース４８の通信制御等を可能にしている。なお、通信インタフェース４８に接続される外部装置には、当該二次元コードリーダ１０の上位システムに相当するホストコンピュータ等が含まれる。
【００４４】
電源系は、電源スイッチ４１、電池４９等により構成されており、制御回路４０により管理される電源スイッチ４１のオンオフによって、上述した各装置や各回路に、電池４９から供給される駆動電圧の導通や遮断が制御されている。なお、電池４９は、所定の直流電圧を発生可能な二次電池で、例えば、リチウムイオン電池等がこれに相当する。
【００４５】
このように二次元コードリーダ１０を構成することによって、例えば、電源スイッチ４１がオンされて所定の自己診断処理等が正常終了し、二次元コードＱの読み取りが可能な状態になると、制御回路４０が照明光Ｌｆの発光を指示するトリガスイッチ１４の入力を受け付けるとともに、同期信号を基準に所定周期で発光信号を右側マーカ光源２５および左側マーカ光源２８に出力する。
【００４６】
これにより、発光信号を受けた右側マーカ光源２５および左側マーカ光源２８は、レーザダイオードを間欠的に発光させて右側マーカ光ＭＲや左側マーカ光ＭＬを発するため、使用者が当該二次元コードリーダ１０の読取口１１ａを読取対象物Ｒに向けることで、例えば、図５に示すように、右側マーカ光ＭＲおよび左側マーカ光ＭＬからなるマーカ光Ｍが読取対象物Ｒに照射されて映る。
【００４７】
即ち、右側マーカ光学系２４から読取対象物Ｒに照射された右側マーカ光ＭＲにより映し出される右側範囲ガイドマーカＧＡＲと、左側マーカ光学系２７から読取対象物Ｒに照射された左側マーカ光ＭＬにより映し出される左側範囲ガイドマーカＧＡＬとによって、右側読取可能範囲ＡｒＲと左側読取可能範囲ＡｒＬとを組み合わせた読取可能範囲Ａｒが当該二次元コードリーダ１０の使用者に明示されるとともに、右側マーカ光ＭＲにより映し出される右側中心ガイドマーカＧＣＲと左側マーカ光ＭＬにより映し出される左側中心ガイドマーカＧＣＬとによって読取可能範囲Ａｒの読取中心位置Ｃｒが当該使用者に明示される。このため、当該使用者は、これらのガイドマーカにより、読取可能範囲Ａｒとその読取中心位置Ｃｒを把握することができるので、読取対象物Ｒに貼付や印刷された二次元コードＱに対して読取口１１ａの向きを合わせることが可能となる。
【００４８】
そして、使用者がトリガスイッチ１４をオンにすることによって、制御回路４０が同期信号を基準に照明光源２１に発光信号を出力するので、当該発光信号を受けた照明光源２１は照明光Ｌｆを照射し、照射された照明光Ｌｆが二次元コードＱ等に反射するとその反射光Ｌｒが読取口１１ｂを介して結像レンズ２２ｂに入射する。このため、受光センサ２３の受光面２３ａには、二次元コードＱの像が結像されるので、上述したマイコン系により画像処理された後、画像データとしてメモリ３５を介して、デコード処理に渡される。メモリ３５から当該画像データを取り出した制御回路４０は、所定のデコード処理によって当該画像データをデコードしデコードデータとして外部に出力する。
【００４９】
以上説明したように、二次元コードリーダ１０を構成することによって、図１〜図５に示すように、マーカ光光学系として、右側マーカ光学系２４および左側マーカ光学系２７を備え、受光センサ２３が右側マーカ光学系２４と左側マーカ光学系２７との間で、かつ、右側マーカ光ＭＲの右側マーカ光軸ＪＲと左側マーカ光ＭＬの左側マーカ光軸ＪＬとを結ぶ仮想線Ｋ上に位置している。これにより、読取可能範囲Ａｒを二等分割した右側読取可能範囲ＡｒＲについて、右側マーカ光学系２４により右側範囲ガイドマーカＧＡＲおよび右側中心ガイドマーカＧＣＲを投射可能な右側マーカ光ＭＲを発し、二等分割した左側読取可能範囲ＡｒＬについて、左側マーカ光学系２７により左側範囲ガイドマーカＧＡＬおよび左側中心ガイドマーカＧＣＬを投射可能な左側マーカ光ＭＬを発すると、当該受光センサ２３の受光軸ＪＳがこれら２つのマーカ光の光軸に挟まれた位置でかつこれら右側マーカ光ＭＲの右側マーカ光軸ＪＲと左側マーカ光ＭＬの左側マーカ光軸ＪＬとを含む平面内で位置することになる。このため、右側マーカ光ＭＲと左側マーカ光ＭＬとを含むマーカ光Ｍ全体の中心にあたる中心軸ＪＺと、受光センサ２３の受光軸ＪＳとを一致させることができる。したがって、読取口１１ａと読取対象物Ｒとの間の距離にかかわらず、読取可能範囲Ａｒとその読取中心位置Ｃｒを正確に明示することができる。
【００５０】
また、上述した二次元コードリーダ１０では、受光センサ２３は、その受光面２３ａが右側マーカ光学系２４と左側マーカ光学系２７との間で、かつ、右側マーカ光ＭＲの右側マーカ光軸ＪＲと左側マーカ光ＭＬの左側マーカ光軸ＪＬとを結ぶ仮想線Ｋ上のぼほ中心に位置するように構成していることから、右側マーカ光軸ＪＲと左側マーカ光軸ＪＬとを平行（右側マーカ光ＭＲおよび左側マーカ光ＭＬの照射方向が受光センサ２３の受光軸ＪＳ方向に対して平行）に設定しても、右側マーカ光ＭＲと左側マーカ光ＭＬとを含むマーカ光Ｍ全体の中心軸ＪＺと受光センサ２３の受光軸ＪＳとを一致させることができる。これにより、図３(B)，(C)に示すように、受光センサ２３の受光軸ＪＳ、右側マーカ光学系２４の右側マーカ光軸ＪＲ、左側マーカ光学系２７の左側マーカ光軸ＪＬが、それぞれが実装される光学系ユニット基板１６の基板面（被取付面）に対して垂直方向に設定されている場合でも、図５に示すように、マーカ光Ｍ全体の中心軸ＪＺと受光センサ２３の受光軸ＪＳとを容易に一致させることが可能となる。このため、受光センサ２３が仮想線Ｋの中心に位置していない場合に比べて、組付工数や調整工数を削減することができる。
【００５１】
右側マーカ光ＭＲおよび左側マーカ光ＭＬの照射方向が受光センサ２３の受光軸ＪＳ方向に対して平行になるように、右側マーカ光学系２４、左側マーカ光学系２７および受光センサ２３を光学系ユニット基板１６に実装したが、受光センサ２３の受光軸ＪＳ方向に右側マーカ光ＭＲの右側マーカ光軸ＪＲおよび左側マーカ光ＭＬの左側マーカ光軸ＪＬが向くように、例えば、右側マーカ光軸ＪＲと受光軸ＪＳとがなす一方の鋭角と、左側マーカ光軸ＪＬと受光軸ＪＳとがなす他方の鋭角と、が等しくなるように、右側マーカ光学系２４および左側マーカ光学系２７の位置関係を設定しても良い。これにより、右側マーカ光ＭＲおよび左側マーカ光ＭＬの照射方向が、受光センサ２３の受光軸ＪＳ方向に傾いて受光軸ＪＳに近づくぶん、右側マーカ光ＭＲおよび左側マーカ光ＭＬの照射範囲を狭くすることができるので、右側マーカ光ＭＲおよび左側マーカ光ＭＬの照射方向が受光センサ２３の受光軸ＪＳ方向に対して平行である場合に比べて照射範囲が狭いぶん、マーカ光Ｍの輝度を高めることができる。
【００５２】
さらに、上述した二次元コードリーダ１０では、受光センサ２３の受光面２３ａを、複数の受光素子が二次元に配列して構成される長方形状に構成し、当該受光面２３ａの長辺と仮想線Ｋとが平行になるように、受光センサ２３、右側マーカ光学系２４および左側マーカ光学系２７の位置関係を設定したことから、これらの位置関係が当該受光面２３ａの長辺と仮想線Ｋとが垂直になるように設定される場合に比べて、右側マーカ光ＭＲおよび左側マーカ光ＭＬの照射範囲を狭くすることができる。このため、右側マーカ光ＭＲおよび左側マーカ光ＭＬからなるマーカ光Ｍの照射範囲が狭いぶん、このような構成によってもマーカ光Ｍの輝度を高めることができる。
【００５３】
なお、上述した光学系ユニット基板１６では、マーカ光Ｍを発するマーカ光光学系として、読取可能範囲Ａｒを左右２分割し、読取可能範囲Ａｒの右半分（右側読取可能範囲ＡｒＲ）の右側マーカ光ＭＲを照射する右側マーカ光学系２４と、読取可能範囲Ａｒの左半分（左側読取可能範囲ＡｒＬ）の左側マーカ光ＭＬを照射する左側マーカ光学系２７と、の２つに分けて構成したが、例えば、読取可能範囲Ａｒを上下２分割し、読取可能範囲Ａｒの上半分（上側読取可能範囲）の上側マーカ光を照射する上側マーカ光学系と、読取可能範囲Ａｒの下半分（下側読取可能範囲）の下側マーカ光を照射する下側マーカ光学系と、の２つに分けて構成しても、上述と同様の作用・効果を得ることができる。
【００５４】
また、上述した光学系ユニット基板１６では、読取可能範囲Ａｒを左右２分割して、マーカ光Ｍを発するマーカ光光学系として右側マーカ光学系２４および左側下マーカ光学系２７Ｌを設けたが、例えば、図７に示すように、読取可能範囲Ａｒを左右上下に４分割してそれぞれの範囲に対応するようにマーカ光Ｍを発するマーカ光光学系を設けても良い。
【００５５】
即ち、図６および図７に示すように、マーカ光Ｍを発するマーカ光光学系として、読取可能範囲Ａｒを左右上下に４分割し、読取可能範囲Ａｒの右上四分の一（右側上読取可能範囲ＡｒＲＵ）の右側範囲上ガイドマーカＧＡＲＵおよび右側中心上ガイドマーカＧＣＲＵを照射する右側上マーカ光学系２４Ｕと、読取可能範囲Ａｒの右下四分の一（右側下読取可能範囲ＡｒＲＬ）の右側範囲下ガイドマーカＧＡＲＬおよび右側中心下ガイドマーカＧＣＲＬを照射する右側下マーカ光学系２４Ｌと、読取可能範囲Ａｒの左上四分の一（左側上読取可能範囲ＡｒＬＵ）の左側範囲上ガイドマーカＧＡＬＵおよび左側中心上ガイドマーカＧＣＬＵを照射する左側上マーカ光学系２７Ｕと、読取可能範囲Ａｒの左下四分の一（左側下読取可能範囲ＡｒＬＬ）の左側範囲下ガイドマーカＧＡＬＬおよび左側中心下ガイドマーカＧＣＬＬを照射する左側下マーカ光学系２７Ｌと、により構成し、これらのマーカ光学系２４Ｕ，２４Ｌ，２７Ｕ，２７Ｌに囲まれる範囲の中心に受光センサ２３が位置するように、マーカ光学系２４Ｕ，２４Ｌ，２７Ｕ，２７Ｌと受光センサ２３とを光学系ユニット基板１６’に実装するように構成する。
【００５６】
具体的には、例えば、図６(A) に示すように、光学系ユニット基板１６’上に、仮想の正方形（同図に示す二点鎖線）を描いたとすると、その四隅（四角）に４つのマーカ光学系２４Ｕ，２４Ｌ，２７Ｕ，２７Ｌを配置し、またその仮想正方形の中心に受光センサ２３を配置する。より詳細には、仮想正方形の四隅のうちの一つに、右側上マーカ光学系２４Ｕから出射される右側上マーカ光ＭＲＵの右側上マーカ光軸ＪＲＵが位置するとした場合に、その対角に、左側下マーカ光学系２７Ｌから出射される左側下マーカ光ＭＬＬの左側下マーカ光軸ＪＬＬが位置し、当該対角の時計回り方向の隣の角に、右側下マーカ光学系２４Ｌから出射される右側下マーカ光ＭＲＬの右側下マーカ光軸ＪＲＬが位置し、残りの角に、左側上マーカ光学系２７Ｕから出射される左側上マーカ光ＭＬＵの左側上マーカ光軸ＪＬＵが位置するようにこれらのマーカ光学系２４Ｕ，２４Ｌ，２７Ｕ，２７Ｌを配置する。そして、右側上マーカ光学系２４Ｕ、左側下マーカ光学系２７Ｌ、右側下マーカ光学系２４Ｌおよび左側上マーカ光学系２７Ｕに囲まれ、右側上マーカ光ＭＲＵの右側上マーカ光軸ＪＲＵと左側下マーカ光ＭＬＬの左側下マーカ光軸ＪＬＬとを結ぶ第１仮想線Ｋａと、右側下マーカ光ＭＲＬの右側下マーカ光軸ＪＲＬと左側上マーカ光ＭＬＵの左側上マーカ光軸ＪＬＵとを結ぶ第２仮想線Ｋｂと、の交点上に受光センサ２３を配置する。また、このように配置される４つのマーカ光学系２４Ｕ，２４Ｌ，２７Ｕ，２７Ｌに囲まれる範囲内で、図３(A) を参照して説明した光学系ユニット基板１６と同様に、この受光センサ２３の周囲を円環状に囲むように１６個のＬＥＤを配置する。
【００５７】
そして、右側上マーカ光学系２４Ｕは、図６(B)，(C)に示すように、前述した右側マーカ光学系２４と同様に、ホルダ２４ａと右側上マーカホログラム２４ｂＵとから構成され、読取対象物Ｒに対して右側上読取可能範囲ＡｒＲＵを明示し得る右側範囲上ガイドマーカＧＡＲＵおよび右側中心上ガイドマーカＧＣＲＵを投射可能な右側上マーカ光ＭＲＵを発し得るように、ホログラムプレートである右側上マーカホログラム２４ｂＵの回折格子が形成される（図７(A) 参照）。ホルダ２４ａは、右側上マーカ光源２５Ｕからのレーザ光ＬＢＲＵが右側上マーカホログラム２４ｂＵに入射し得るように当該右側上マーカホログラム２４ｂＵを支持する。右側上マーカ光源２５Ｕは、前述の右側マーカ光源２５と同様に構成される。
【００５８】
同様に、右側下マーカ光学系２４Ｌも、ホルダ２４ａと右側下マーカホログラム２４ｂＬとから構成され、読取対象物Ｒに対して右側下読取可能範囲ＡｒＲＬを明示し得る右側範囲下ガイドマーカＧＡＲＬおよび右側中心下ガイドマーカＧＣＲＬを投射可能な右側下マーカ光ＭＲＬを発し得るように、ホログラムプレートである右側下マーカホログラム２４ｂＬの回折格子が形成される（図７(B) 参照）。ホルダ２４ａおよび右側下マーカ光源２５Ｌについては、右側上マーカ光学系２４Ｕのものと同様である。
【００５９】
これらに対し、左側上マーカ光学系２７Ｕは、図６(B)，(C)に示すように、前述した左側マーカ光学系２７と同様に、ホルダ２７ａと左側上マーカホログラム２７ｂＵとから構成される。そして、読取対象物Ｒに対して左側上読取可能範囲ＡｒＬＵを明示し得る左側範囲上ガイドマーカＧＡＬＵおよび左側中心上ガイドマーカＧＣＬＵを投射可能な左側上マーカ光ＭＬＵを発し得るように、ホログラムプレートである左側上マーカホログラム２７ｂＵの回折格子が形成される（図７(C) 参照）。ホルダ２７ａは、左側上マーカ光源２８Ｕからのレーザ光ＬＢＬＵが左側上マーカホログラム２７ｂＵに入射し得るように当該左側上マーカホログラム２７ｂＵを支持する。左側上マーカ光源２８Ｕは、前述の左側マーカ光源２８と同様に構成される。
【００６０】
同様に、左側下マーカ光学系２７Ｌも、ホルダ２７ａと左側下マーカホログラム２７ｂＬとから構成され、読取対象物Ｒに対して左側下読取可能範囲ＡｒＬＬを明示し得る左側範囲下ガイドマーカＧＡＬＬおよび左側中心下ガイドマーカＧＣＬＬを投射可能な左側下マーカ光ＭＬＬを発し得るように、ホログラムプレートである左側下マーカホログラム２７ｂＬの回折格子が形成される（図７(D) 参照）。ホルダ２７ａおよび左側下マーカ光源２８Ｌについては、左側上マーカ光学系２７Ｕのものと同様である。
【００６１】
このように光学系ユニット基板１６’を構成することによって、読取可能範囲Ａｒを四分割した右側上読取可能範囲ＡｒＲＵについて、右側上マーカ光学系２４Ｕにより、右側範囲上ガイドマーカＧＡＲＵおよび右側中心上ガイドマーカＧＣＲＵを投射可能な右側上マーカ光ＭＲＵをマーカ光Ｍの一部として発し、この右側上読取可能範囲ＡｒＲＵに対して読取中心位置Ｃｒを挟んで位置する左側下読取可能範囲ＡｒＬＬについて、左側下マーカ光学系２７Ｌにより、左側範囲下ガイドマーカＧＡＬＬおよび左側中心下ガイドマーカＧＣＬＬを投射可能な左側下マーカ光ＭＬＬをマーカ光Ｍの一部として発し、右側上読取可能範囲ＡｒＲＵと左側下読取可能範囲ＡｒＬＬとの間に位置する右側下読取可能範囲ＡｒＲＬについて、右側下マーカ光学系２４Ｌにより、右側範囲下ガイドマーカＧＡＲＬおよび右側中心下ガイドマーカＧＣＲＬを投射可能な右側下マーカ光ＭＲＬをマーカ光Ｍの一部として発し、この右側下読取可能範囲ＡｒＲＬに対して読取中心位置Ｃｒを挟んで位置する左側上読取可能範囲ＡｒＬＵについて、左側上マーカ光学系２７Ｕにより、左側範囲上ガイドマーカＧＡＬＵおよび左側中心上ガイドマーカＧＣＬＵを投射可能な左側上マーカ光ＭＬＵをマーカ光Ｍの一部として発する。
【００６２】
そして、右側上マーカ光学系２４Ｕ、左側下マーカ光学系２７Ｌ、右側下マーカ光学系２４Ｌおよび左側上マーカ光学系２７Ｕに囲まれ、右側上マーカ光ＭＲＵの右側上マーカ光軸ＪＲＵと左側下マーカ光ＭＬＬの左側下マーカ光軸ＪＬＬとを結ぶ第１仮想線Ｋａと、右側下マーカ光ＭＲＬの右側下マーカ光軸ＪＲＬと左側上マーカ光ＭＬＵの左側上マーカ光軸ＪＬＵとを結ぶ第２仮想線Ｋｂと、の交点上に受光センサ２３が位置している。
【００６３】
これにより、受光センサ２３は、その受光軸ＪＳがこれら４つのマーカ光ＭＲＵ，ＭＲＬ，ＭＬＵ，ＭＬＬの光軸ＪＲＵ，ＪＲＬ，ＪＬＵ，ＪＬＬに囲まれた位置でかつその中心に位置することになるため、これらのマーカ光ＭＲＵ，ＭＲＬ，ＭＬＵ，ＭＬＬを含むマーカ光Ｍ全体の中心にあたる中心軸ＪＺと、受光センサ２３の受光軸ＪＳとを一致させることができる。したがって、読取口１１ａと読取対象物Ｒとの間の距離にかかわらず、読取可能範囲Ａｒとその読取中心位置Ｃｒを当該二次元コードリーダ１０の使用者に正確に明示することができる。
【００６４】
また、上述した光学系ユニット基板１６では、マーカ光Ｍを発するマーカ光光学系の、右側マーカ光学系２４および左側マーカ光学系２７のそれぞれにマーカ光源２５，２８を設けたが、例えば、図８(A) に示すように、右側マーカ光源２５を廃止して左側マーカ光源２８（光源）から出射されるレーザ光ＬＢをハーフミラー７１（光分配手段）により一方のレーザ光ＬＢａ（第１の分配光）と他方のレーザ光ＬＢｂ（第２の分配光）とに分配し、それぞれをレーザ光ＬＢＬ，ＬＢＲとしても良い。
【００６５】
これにより、一方のレーザ光ＬＢａをレーザ光ＬＢＬとして左側マーカ光学系２７に、また他方のレーザ光ＬＢｂをレーザ光ＬＢＲとして右側マーカ光学系２４に、それぞれ入射させることで、一つの左側マーカ光源２８で左側マーカ光ＭＬと右側マーカ光ＭＲとを発することができるため、比較的高価でコスト高の要因になりやすいマーカ光源の数を減らすことが可能となり、製品コストを削減することができる。なお、図８(A) に示すミラー７２は、ハーフミラー７１により２分配されたレーザ光ＬＢａ，ＬＢｂのうちのレーザ光ＬＢｂの進行方向を右側マーカ光学系２４方向に変更するための光学部材である。
【００６６】
さらに、上述した光学系ユニット基板１６’では、マーカ光Ｍを発するマーカ光光学系の、右側上マーカホログラム２４ｂＵ、右側下マーカ光学系２４Ｌ、左側上マーカ光学系２７Ｕおよび左側下マーカ光学系２７Ｌのそれぞれに右側上マーカ光源２５Ｕ、右側下マーカ光源２５Ｌ、左側上マーカ光源２８Ｕ、左側下マーカ光源２８Ｌを設けたが、例えば、図８(B) 〜図８(D) に示すように、右側上マーカ光源２５Ｕ、右側下マーカ光源２５Ｌおよび左側下マーカ光源２８Ｌを廃止して左側上マーカ光源２８Ｕ（光源）から出射されるレーザ光ＬＢをハーフミラー８１（第１光分配手段）により一方のレーザ光ＬＢａ（第１の分配光）と他方のレーザ光ＬＢｂ（第２の分配光）とに分配し、このうちの一方のレーザ光ＬＢａをハーフミラー８２（第２光分配手段）によりレーザ光ＬＢｃ（第３の分配光）とレーザ光ＬＢｄ（第４の分配光）とに分配し、残りの他方のレーザ光ＬＢｂをハーフミラー８５（第３光分配手段）によりレーザ光ＬＢｅ（第５の分配光）とレーザ光ＬＢｆ（第６の分配光）とに分配しても良い。
【００６７】
これにより、レーザ光ＬＢｃをレーザ光ＬＢＬＵとして左側上マーカ光学系２７Ｕに、レーザ光ＬＢｄをレーザ光ＬＢＬＬとして左側下マーカ光学系２７Ｌに、レーザ光ＬＢｅをレーザ光ＬＢＲＵとして右側上マーカ光学系２４Ｕに、レーザ光ＬＢｆをレーザ光ＬＢＲＬとして右側下マーカ光学系２４Ｌに、それぞれ入射させることで、一つの左側上マーカ光源２８Ｕで左側上マーカ光ＭＬＵ、左側下マーカ光ＭＬＬ、右側上マーカ光ＭＲＵおよび右側下マーカ光ＭＲＬを発することができるため、比較的高価でコスト高の要因になりやすいマーカ光源の数を減らすことが可能となり、製品コストを削減することができる。なお、図８(B) に示すミラー８４は、ハーフミラー８１により２分配されたレーザ光ＬＢａ，ＬＢｂうちのレーザ光ＬＢｂの進行方向をハーフミラー８５方向に変更するための光学部材で、図８(C) に示すミラー８３は、ハーフミラー８２により２分配されたレーザ光ＬＢｃ，ＬＢｄうちのレーザ光ＬＢｄの進行方向を左側下マーカ光学系２７Ｌ方向に変更するための光学部材で、図８(D) に示すミラー８６は、ハーフミラー８５により２分配されたレーザ光ＬＢｅ，ＬＢｆうちのレーザ光ＬＢｆの進行方向を右側下マーカ光学系２４Ｌ方向に変更するための光学部材である。
【００６８】
また、上述した光学系ユニット基板１６では、図９(A) に示すように、右側マーカ光学系２４から照射される右側マーカ光ＭＲによる「右側範囲ガイドマーカＧＡＲおよび右側中心ガイドマーカＧＣＲ」と、左側マーカ光学系２７から照射される左側マーカ光ＭＬによる「左側範囲ガイドマーカＧＡＬおよび左側中心ガイドマーカＧＣＬ」と、からマーカ光Ｍ全体を構成したが（符号ＱはＱＲコード等の二次元コードを示す）、例えば、図９(B) に示すように、右側範囲ガイドマーカＧＡＲ、右側中心ガイドマーカＧＣＲに加えて、右側範囲ガイドマーカＧＡＲよりも内側で右側中心ガイドマーカＧＣＲよりも外側の範囲内に右側範囲サブマーカＳＡＲを投射可能に右側マーカ光学系２４の右側マーカホログラム２４ｂを構成し、また、左側範囲ガイドマーカＧＡＬ、左側中心ガイドマーカＧＣＬに加えて、左側範囲ガイドマーカＧＡＬよりも内側で左側中心ガイドマーカＧＣＬよりも外側の範囲内に左側範囲サブマーカＳＡＬを投射可能に左側マーカ光学系２７の左側マーカホログラム２７ｂを構成しても良い。
【００６９】
これにより、例えば、このような右側範囲サブマーカＳＡＲおよび左側範囲サブマーカＳＡＬに囲まれる所定範囲を受光センサ２３の高解像度範囲として使用者に明示することができる。したがって、読取可能範囲Ａｒの内側に設定される所定範囲についても、読取可能範囲Ａｒとその読取中心位置Ｃｒと同様に、読取口１１ａと読取対象物Ｒとの間の距離にかかわらず、正確に明示することができる。なお、図９(A) および図９(B) における括弧内の符号は、前述した図６および図７に示す４分割構成の場合において対応する符号である。
【００７０】
なお、上述した実施形態では、情報コードとしてＱＲコード等の二次元コードを例に説明したが、本発明は、情報コードであれば、ＪＡＮ，ＣＯＤＥ３９，ＮＷ−７等のバーコード（一次元コード）用の一次元コードリーダのガイドマーカにも適用することができ、上述と同様の作用および効果を得ることができる。
【図面の簡単な説明】
【００７１】
【図１】本実施形態に係る二次元コードリーダの構成を示す説明図で、図１(A) は部分縦断面を示すもの、図１(B) は部分横断面を示すもの、である。
【図２】本実施形態の二次元コードリーダを構成する制御系ユニット基板および光学系ユニット基板の回路構成等を示すブロック図である。
【図３】本実施形態の二次元コードリーダを構成する光学系ユニット基板の構成例を示す説明図で、図３(A) は読取口から見える正面を示すもの、図３(B) は図３(A) に示す３Ｂ線断面を示すもの、図３(C) は図３(A) に示す３Ｃ線断面を示すもの、である。
【図４】本実施形態の二次元コードリーダにより照射されるマーカ光と読取可能範囲との関係を示す説明図で、図４(A) は左右すべての範囲ガイドマーカ、中心ガイドマーカおよび読取可能範囲の関係を示すもの、図４(B) は右側の範囲ガイドマーカ、中心ガイドマーカおよび読取可能範囲の関係を示すもの、図４(C) は左側の範囲ガイドマーカ、中心ガイドマーカおよび読取可能範囲の関係を示すもの、図４(D) は左右全体の読取可能範囲を示すものである。
【図５】本実施形態の二次元コードリーダにより照射されるマーカ光と読取対象物との距離関係にかかわらず、当該マーカ光により読取可能範囲の中心を示し得ることを示す説明図である。
【図６】本実施形態の二次元コードリーダを構成する光学系ユニット基板の他の構成例を示す説明図で、図６(A) は読取口から見える正面を示すもの、図６(B) は図６(A) に示す７Ｂ線断面を示すもの、図６(C) は図６(A) に示す７Ｃ線断面を示すもの、である。
【図７】本実施形態の二次元コードリーダにより照射されるマーカ光と読取可能範囲との関係を示す説明図で、図７(A) は右側上の範囲ガイドマーカ、中心ガイドマーカおよび読取可能範囲の関係を示すもの、図７(B) は右側下の範囲ガイドマーカ、中心ガイドマーカおよび読取可能範囲の関係を示すもの、図７(C) は左側上の範囲ガイドマーカ、中心ガイドマーカおよび読取可能範囲の関係を示すもの、図７(D) は左側下の範囲ガイドマーカ、中心ガイドマーカおよび読取可能範囲の関係を示すものである。
【図８】図８(A) は読取可能範囲を左右２分割した場合において１つのマーカ光源で右側マーカ光および左側マーカ光を照射し得る構成例を示す説明図、図８(B) は読取可能範囲を左右上下４分割した場合において１つのマーカ光源で右側上マーカ光、右側下マーカ光、左側上マーカ光および左側下マーカ光を照射し得る構成例を示す説明図、図８(C) は図８(B) に示す８Ｃ矢視による構成例を示す説明図、図８(D) は図８(B) に示す８Ｄ矢視による構成例を示す説明図、である。
【図９】図９(A) は、読取対象物に貼付された二次元コードに照射されるマーカ光による右側範囲ガイドマーカ、左側範囲ガイドマーカ等の例を示す説明図で、図９(B) は、サブマーカ光による右側範囲上ガイドマーカ、右側範囲下ガイドマーカ、左側範囲上ガイドマーカ、左側範囲下ガイドマーカ等の例を示す説明図である。
【符号の説明】
【００７２】
１０…二次元コードリーダ（光学的情報読取装置）
１１…ハウジング本体
１１ａ…読取口
１２…グリップ部
１４…トリガスイッチ
１５…制御系ユニット基板
１６、１６’…光学系ユニット基板
２０…回路部
２１…照明光源
２２…結像光学系
２３…受光センサ
２３ａ…受光面
２４…右側マーカ光学系（マーカ光光学系、一方の光学系）
２４Ｕ…右側上マーカ光学系（マーカ光光学系、第１の光学系）
２４Ｌ…右側下マーカ光学系（マーカ光光学系、第３の光学系）
２７…左側マーカ光学系（マーカ光光学系、他方の光学系）
２７Ｕ…左側上マーカ光学系（マーカ光光学系、第４の光学系）
２７Ｌ…左側下マーカ光学系（マーカ光光学系、第２の光学系）
２８…左側マーカ光源（光源）
４０…制御回路
７１…ハーフミラー（光分配手段）
Ａｒ…読取可能範囲（読取可能な範囲）
ＡｒＲ…右側読取可能範囲（二等分割した一方の範囲）
ＡｒＬ…左側読取可能範囲（二等分割した他方の範囲）
ＡｒＲＵ…右側上読取可能範囲（第１部分の範囲）
ＡｒＲＬ…右側下読取可能範囲（第３部分の範囲）
ＡｒＬＵ…左側上読取可能範囲（第４部分の範囲）
ＡｒＬＬ…左側下読取可能範囲（第２部分の範囲）
Ｃｒ…読取中心位置（読取可能な範囲の中心位置）
ＧＡＲ…右側範囲ガイドマーカ（第１のガイドマーカの一部）
ＧＡＲＵ…右側範囲上ガイドマーカ（第１のガイドマーカの一部）
ＧＡＲＬ…右側範囲下ガイドマーカ（第１のガイドマーカの一部）
ＧＡＬ…左側範囲ガイドマーカ（第１のガイドマーカの残部）
ＧＡＬＵ…左側範囲上ガイドマーカ（第１のガイドマーカの一部）
ＧＡＬＬ…左側範囲下ガイドマーカ（第１のガイドマーカの一部）
ＧＣＲ…右側中心ガイドマーカ（第２のガイドマーカの一部）
ＧＣＲＵ…右側中心上ガイドマーカ（第２のガイドマーカの一部）
ＧＣＲＬ…右側中心下ガイドマーカ（第２のガイドマーカの一部）
ＧＣＬ…左側中心ガイドマーカ（第２のガイドマーカの残部）
ＧＣＬＵ…左側中心上ガイドマーカ（第２のガイドマーカの一部）
ＧＣＬＬ…左側中心下ガイドマーカ（第２のガイドマーカの一部）
ＪＬ…左側マーカ光軸（一のマーカ光の光軸）
ＪＬＵ…左側上マーカ光軸（第４マーカ光の光軸）
ＪＬＬ…左側下マーカ光軸（第２マーカ光の光軸）
ＪＲ…右側マーカ光軸（他のマーカ光の光軸）
ＪＲＵ…右側上マーカ光軸（第１マーカ光の光軸）
ＪＲＬ…右側下マーカ光軸（第３マーカ光の光軸）
ＪＳ…受光軸
ＪＺ…中心軸
Ｋ…仮想線
Ｋａ…第１仮想線
Ｋｂ…第２仮想線
ＬＢａ…レーザ光（第１の分配光）
ＬＢｂ…レーザ光（第２の分配光）
Ｌｆ…照射光
Ｌｒ…反射光
Ｍ…マーカ光
ＭＲ…右側マーカ光（一のマーカ光）
ＭＲＵ…右側上マーカ光（第１のマーカ光）
ＭＲＬ…右側下マーカ光（第３のマーカ光）
ＭＬ…左側マーカ光（他のマーカ光）
ＭＬＵ…左側上マーカ光（第４マーカ光）
ＭＬＬ…左側下マーカ光（第２マーカ光）
ＳＡＲ…右側範囲サブマーカ（第３のガイドマーカの一部）
ＳＡＲＵ…右側範囲上サブマーカ
ＳＡＲＬ…右側範囲下サブマーカ
ＳＡＬ…左側範囲サブマーカ（第３のガイドマーカの残部）
ＳＡＬＵ…左側範囲上サブマーカ
ＳＡＬＬ…左側範囲下サブマーカ
Ｑ…二次元コード（情報コード）
Ｒ…読取対象物（表示媒体）
【図１】
2009020722.tif 000003
【図２】
2009020722.tif 000004
【図３】
2009020722.tif 000005
【図４】
2009020722.tif 000006
【図５】
2009020722.tif 000007
【図６】
2009020722.tif 000008
【図７】
2009020722.tif 000009
【図８】
2009020722.tif 000010
【図９】
2009020722.tif 000011